(57)【要約】【課題】携帯型端末の動きに応じて、ディスプレーに表示された情報を示す画像を印刷する。【解決手段】画像形成システム３は、画像形成装置２、及び画像形成装置２と無線通信可能な携帯型端末１を備える。画像形成装置２は、認証処理を実行する装置制御部２０、及び画像形成部２１を有する。携帯型端末１は、端末制御部１０、動き検知センサー１３、及びディスプレー１１１を有する。動き検知センサー１３は、携帯型端末１の動きを検知して、携帯型端末１の所定の動きを示す動き情報を端末制御部１０に送信する。端末制御部１０は、認証処理が成功した場合において、動き検知センサー１３から動き情報を受信すると、ディスプレー１１１に表示中の情報を示す画像の画像データを生成し、装置制御部２０に送信する。装置制御部２０は、受信した画像データに基づいて、情報を示す画像を画像形成部２１に形成させる。【選択図】図２
2018124708.tif 000002
【特許請求の範囲】
【請求項１】
画像形成装置と、
前記画像形成装置と無線通信可能な携帯型端末と
を備え、
前記画像形成装置は、
予めユーザー情報が登録されたユーザー登録テーブルを参照して認証処理を実行する装置制御部と、
前記携帯型端末と無線通信する装置無線通信機と、
画像を形成する画像形成部と
を有し、
前記携帯型端末は、
端末制御部と、
前記携帯型端末の動きを検知して、前記携帯型端末の所定の動きを示す動き情報を前記端末制御部に送信する動き検知センサーと、
前記装置無線通信機と無線通信する端末無線通信機と、
情報を表示するディスプレーと
を有し、
前記端末制御部は、前記認証処理に使用される認証情報を前記端末無線通信機及び前記装置無線通信機を介して前記装置制御部へ送信し、
前記装置制御部は、前記認証情報を受信すると、前記認証情報と一致する前記ユーザー情報が前記ユーザー登録テーブルに登録されているか否かを判定し、前記認証情報と一致する前記ユーザー情報が前記ユーザー登録テーブルに登録されていると判定すると、認証成功信号を前記装置無線通信機及び前記端末無線通信機を介して前記端末制御部へ送信し、
前記端末制御部は、前記認証処理が成功した旨を示す前記認証成功信号を受信した場合において、前記動き検知センサーから前記動き情報を受信すると、前記ディスプレーに表示中の情報を示す画像の画像データを生成し、
前記端末制御部は、前記画像データを、前記端末無線通信機及び前記装置無線通信機を介して前記装置制御部に送信し、
前記装置制御部は、前記画像データを受信すると、前記画像データに基づいて、前記画像形成部に前記情報を示す画像を形成させる、画像形成システム。
【請求項２】
前記携帯型端末は、
前記携帯型端末の位置情報を示す端末位置情報を取得する端末位置情報取得装置と、
前記画像形成装置の位置情報を示す装置位置情報を記憶する端末記憶装置と
を更に有し、
前記端末制御部は、前記端末位置情報と前記装置位置情報とに基づいて前記携帯型端末と前記画像形成装置との間の離間距離を算出し、
前記端末制御部は、前記離間距離が閾値以下になると、前記端末無線通信機及び前記装置無線通信機を介して、前記装置制御部に前記認証処理の開始要求を送信し、
前記装置制御部は、前記認証処理の開始要求を受信すると、前記認証処理の実行が可能か否かを判定し、前記認証処理の実行が可能であると判定すると、前記装置無線通信機及び前記端末無線通信機を介して、前記認証処理の開始許可を前記端末制御部に送信し、
前記端末制御部は、前記開始許可を受信すると、前記端末無線通信機及び前記装置無線通信機を介して、前記認証情報を前記装置制御部へ送信する、請求項１に記載の画像形成システム。
【請求項３】
前記端末位置情報及び前記装置位置情報は、経度及び緯度を示す情報を含む、請求項２に記載の画像形成システム。
【請求項４】
前記閾値は、前記端末無線通信機と前記装置無線通信機とが無線通信可能な距離よりも小さい値を示す、請求項２又は請求項３に記載の画像形成システム。
【請求項５】
前記携帯型端末は、前記認証情報の送信指示を受け付ける入力装置を更に有し、
前記端末制御部は、前記離間距離が前記閾値よりも大きい場合に、前記認証情報の送信指示を前記入力装置が受け付けると、前記認証情報を前記端末無線通信機及び前記装置無線通信機を介して前記装置制御部に送信する、請求項２〜請求項４のいずれか１項に記載の画像形成システム。
【請求項６】
前記携帯型端末は、前記認証情報の送信指示を受け付ける入力装置を更に有し、
前記端末制御部は、前記認証情報の送信指示を前記入力装置が受け付けると、前記端末無線通信機及び前記装置無線通信機を介して前記認証情報を前記装置制御部に送信する、請求項１に記載の画像形成システム。
【請求項７】
前記無線通信は、近距離無線通信を含む、請求項１〜請求項６のいずれか１項に記載の画像形成システム。
【請求項８】
前記動き検知センサーは、前記携帯型端末の複数の動きを判別して検知し、
前記端末制御部は、前記動き検知センサーが検知した動きと関連付けられた印刷条件を示すデータを、前記画像データと共に、前記端末無線通信機及び前記装置無線通信機を介して前記装置制御部に送信し、
前記装置制御部は、前記印刷条件で前記情報を示す画像を前記画像形成部に形成させる、請求項１〜請求項７のいずれか１項に記載の画像形成システム。
【請求項９】
前記装置制御部は、前記動き検知センサーが前記携帯型端末の回転を検知すると、前記画像データを生成する、請求項１〜請求項８のいずれか１項に記載の画像形成システム。
【発明の詳細な説明】
【技術分野】
【０００１】
本発明は、画像形成システムに関する。
【背景技術】
【０００２】
近年、ノートパソコンやスマートフォンなどの携帯型端末のディスプレーに表示された文書等を印刷するための印刷システムが開発されている。例えば、特許文献１には、近接無線を用いた通信が可能な情報処理装置と印刷装置とを有する無線印刷システムが開示されている。詳しくは、情報処理装置は、印刷装置との間で近接無線による通信が可能になったことを検出すると、情報処理装置が備える表示器に表示している文書の印刷データを生成する。生成された印刷データは、近接無線を用いて印刷装置に送信される。
【先行技術文献】
【特許文献】
【０００３】
【特許文献１】特開２００９―２５１８２３号公報
【発明の概要】
【発明が解決しようとする課題】
【０００４】
しかしながら、特許文献１に開示の無線印刷システムでは、印刷装置と情報処理装置との間の距離が近接無線通信可能な距離になると、表示器に表示されている文書が印刷されてしまう。
【０００５】
本発明は、上記課題に鑑み、画像形成装置にログインした状態において、携帯型端末が所定の動きをすると、携帯型端末のディスプレーに表示された情報を示す画像がシートに形成される画像形成システムを提供することを目的とする。
【課題を解決するための手段】
【０００６】
本発明の画像形成システムは、画像形成装置と、前記画像形成装置と無線通信可能な携帯型端末とを備える。前記画像形成装置は、装置制御部と、装置無線通信機と、画像を形成する画像形成部とを有する。前記装置制御部は、予めユーザー情報が登録されたユーザー登録テーブルを参照して認証処理を実行する。前記装置無線通信機は、前記携帯型端末と無線通信する。前記携帯型端末は、端末制御部と、動き検知センサーと、端末無線通信機と、情報を表示するディスプレーとを有する。前記動き検知センサーは、前記携帯型端末の所定の動きを検知して、前記携帯型端末の動きを示す動き情報を前記端末制御部に送信する。前記端末無線通信機は、前記装置無線通信機と無線通信する。前記端末制御部は、前記認証処理に使用される認証情報を前記端末無線通信機及び前記装置無線通信機を介して前記装置制御部へ送信する。前記装置制御部は、前記認証情報を受信すると、前記認証情報と一致する前記ユーザー情報が前記ユーザー登録テーブルに登録されているか否かを判定する。前記装置制御部は、前記認証情報と一致する前記ユーザー情報が前記ユーザー登録テーブルに登録されていると判定すると、前記認証処理が成功した旨を示す認証成功信号を前記装置無線通信機及び前記端末無線通信機を介して前記端末制御部へ送信する。前記端末制御部は、前記認証成功信号を受信した場合において、前記動き検知センサーから前記動き情報を受信すると、前記ディスプレーに表示中の情報を示す画像の画像データを生成する。前記端末制御部は、前記画像データを、前記端末無線通信機及び前記装置無線通信機を介して前記装置制御部に送信する。前記装置制御部は、前記画像データを受信すると、前記画像データに基づいて、前記画像形成部に前記情報を示す画像を形成させる。
【発明の効果】
【０００７】
本発明によれば、画像形成装置にログインした状態において、携帯型端末が所定の動きをすると、携帯型端末のディスプレーに表示された情報を示す画像がシートに形成される。
【図面の簡単な説明】
【０００８】
【図１】本発明の実施形態１に係る画像形成システムの構成を示す図である。
【図２】本発明の実施形態１に係る画像形成システムの構成を示すブロック図である。
【図３】本発明の実施形態１に係る画像形成システムによって実行される第１認証開始要求処理を示すフローチャートである。
【図４】本発明の実施形態１に係る画像形成システムによって実行される認証処理を示すフローチャートである。
【図５】本発明の実施形態１に係る画像形成システムによって実行される印刷処理を示すフローチャートである。
【図６】本発明の実施形態１に係る画像形成システムによって実行される第２認証開始要求処理を示すフローチャートである。
【図７】本発明の実施形態２に係る画像形成システムの構成を示すブロック図である。
【図８】本発明の実施形態２に係る印刷条件テーブルの一例を示す図である。
【図９】（ａ）及び（ｂ）は、本発明の実施形態２に係る筐体の回転の動きを示す図である。
【図１０】（ａ）及び（ｂ）は、本発明の実施形態２に係る筐体の揺動の動きを示す図である。
【図１１】本発明の実施形態２に係る画像形成システムによって実行される印刷処理を示すフローチャートである。
【発明を実施するための形態】
【０００９】
以下、図面を参照して、本発明に係る画像形成システムの実施形態について説明する。なお、図中、同一又は相当部分については同一の参照符号を付して説明を繰り返さない。また、図面は、理解しやすくするために、それぞれの構成要素を主体に模式的に示している。
【００１０】
［実施形態１］
まず、図１を参照して、実施形態１に係る画像形成システム３の構成について説明する。図１は、実施形態１に係る画像形成システム３の構成を示す図である。
【００１１】
図１に示すように、画像形成システム３は、携帯型端末１及び画像形成装置２を備える。携帯型端末１と画像形成装置２とは互いに無線通信可能である。本実施形態において、携帯型端末１は、スマートフォンであり、画像形成装置２は、複合機である。
【００１２】
携帯型端末１は、筐体１ａ及びタッチパネル１１を有する。タッチパネル１１は、入力装置の一例である。タッチパネル１１は、文書、及び／又は写真を示す情報を表示する。ユーザーは、筐体１ａを動かすことによって、タッチパネル１１に表示された情報（文書、及び／又は写真）を示す画像の印刷を画像形成装置２に実行させることができる。
【００１３】
続いて、図２を参照して、実施形態１に係る画像形成システム３の構成について説明する。図２は、実施形態１に係る画像形成システム３の構成を示すブロック図である。
【００１４】
図２に示すように、携帯型端末１は、筐体１ａ、及びタッチパネル１１に加え、端末制御部１０、端末無線通信機１２、動き検知センサー１３、ＧＰＳ受信機１４、及び端末記憶装置１５を有する。ＧＰＳ受信機１４は、位置情報取得装置の一例である。筐体１ａの内部には、端末制御部１０、端末無線通信機１２、動き検知センサー１３、ＧＰＳ受信機１４、及び端末記憶装置１５が収容される。
【００１５】
端末制御部１０は、ＣＰＵ（Ｃｅｎｔｒａｌ  Ｐｒｏｃｅｓｓｉｎｇ  Ｕｎｉｔ）等によって構成される。端末制御部１０は、携帯型端末１が備える各部の動作を制御する。
【００１６】
タッチパネル１１は、ディスプレー１１１、及びタッチセンサー１１２を含む。本実施形態において、ディスプレー１１１は、液晶ディスプレーである。なお、ディスプレー１１１は、有機ＥＬディスプレー（Ｏｒｇａｎｉｃ  ＥｌｅｃｔｒｏＬｕｍｉｎｅｓｃｅｎｃｅ  ｄｉｓｐｌａｙ）であってもよい。
【００１７】
ディスプレー１１１は、表示面を有する。ディスプレー１１１は、携帯型端末１を操作するための操作画面等を表示する。また、ディスプレー１１１は、文書及び／又は写真を示す情報を表示する。文書を示す情報及び写真を示す情報は、例えば、端末記憶装置１５に記憶されている。
【００１８】
タッチセンサー１１２は、タッチ面を有する。筐体１ａは、タッチ面が外部に露出するように、タッチパネル１１を収容する。本実施形態において、タッチ面は、表示面の上に配置される。タッチセンサー１１２は、タッチ面に対する押下を検知すると、押下された位置を示す信号を生成する。押下された位置を示す信号は、端末制御部１０へ送信される。端末制御部１０は、表示面に表示されたボタンの中から、受信した信号によって示される位置に対応するボタンを判定する。これにより、端末制御部１０は、ユーザーによって押下されたボタンを判定することができる。本実施形態において、タッチセンサー１１２は、抵抗膜方式のタッチセンサーである。なお、タッチセンサー１１２は、静電容量方式であってもよい。
【００１９】
端末無線通信機１２は、同じ通信方式（プロトコル）を利用する無線通信装置が実装された電子機器との間で無線通信が可能である。無線通信は、例えば、近距離無線通信である。本実施形態において、端末無線通信機１２は、Ｂｌｕｅｔｏｏｔｈ（登録商標）モジュール又はＢｌｕｅｔｏｏｔｈ（登録商標）カードである。なお、端末無線通信機１２は、無線ＬＡＮ（Ｌｏｃａｌ Ａｒｅａ Ｎｅｔｗｏｒｋ）モジュールとＢｌｕｅｔｏｏｔｈ（登録商標）モジュールとが一体に構成された無線通信機であってもよい。
【００２０】
動き検知センサー１３は、筐体１ａの動きを検知して、筐体１ａの動きを示す情報（動き情報）を端末制御部１０へ送信する。動き検知センサー１３は、加速度センサー及びジャイロスコープを含む。本実施形態において、動き検知センサー１３は、所定の動きとして筐体１ａの回転を検知する。
【００２１】
ＧＰＳ受信機１４は、ＧＰＳ衛星からの電波を受信し、筐体１ａの現在位置を示す情報を取得する。以下、筐体１ａの現在位置を「端末位置」と記載する。ＧＰＳ受信機１４は、取得した端末位置を示す情報を端末制御部１０へ定期的に送信する。以下、端末位置を示す情報を「端末位置情報」と記載する。端末位置情報は、筐体１ａが位置する場所の経度及び緯度を示す。
【００２２】
端末記憶装置１５は、ＨＤＤ（Ｈａｒｄ  Ｄｉｓｋ  Ｄｒｉｖｅ）、ＲＡＭ（Ｒａｎｄｏｍ  Ａｃｃｅｓｓ  Ｍｅｍｏｒｙ）、及びＲＯＭ（Ｒｅａｄ  Ｏｎｌｙ  Ｍｅｍｏｒｙ）等によって構成される。端末記憶装置１５は、携帯型端末１の動作を制御するための制御プログラムを記憶する。制御プログラムは、端末制御部１０によって実行される。これにより、端末制御部１０は、携帯型端末１の各部の動作を制御することができる。なお、端末記憶装置１５は、ＨＤＤに替えてＳＳＤ（Ｓｏｌｉｄ  Ｓｔａｔｅ  Ｄｒｉｖｅ）等を含み得る。
【００２３】
本実施形態において、端末記憶装置１５は、装置位置情報１５１及び離間閾値１５２を記憶する。装置位置情報１５１は、画像形成装置２が配置された場所の位置（装置位置）の情報を示す。本実施形態において、装置位置情報１５１は、画像形成装置２が配置された場所の経度及び緯度を示す情報である。離間閾値１５２は、携帯型端末１（筐体１ａ）と画像形成装置２との間の離間距離に対して設定された閾値である。本実施形態において、離間閾値１５２は、携帯型端末１と画像形成装置２との間で無線通信が可能な距離よりも小さい値を示す。
【００２４】
端末制御部１０は、ＧＰＳ受信機１４から端末位置情報を受信すると、受信した端末位置情報及び装置位置情報１５１に基づいて、筐体１ａと画像形成装置２との間の離間距離を算出する。端末制御部１０は、算出した離間距離が離間閾値１５２以下であるか否かを判定する。本実施形態において、端末制御部１０は、離間距離が離間閾値１５２以下であると判定すると、画像形成装置２へ認証処理の開始要求を送信する。
【００２５】
画像形成装置２は、装置制御部２０、画像形成部２１、装置無線通信機２２、及び装置記憶装置２３を有する。
【００２６】
装置制御部２０は、ＣＰＵ等によって構成される。装置制御部２０は、画像形成装置２が備える各部の動作を制御する。本実施形態において、装置制御部２０は、ユーザー登録テーブルを参照して認証処理を実行する。また、装置制御部２０は、画像データを受信すると、画像データに基づいて画像形成処理を画像形成部２１に実行させる。
【００２７】
画像形成部２１は、画像データに基づいて用紙のようなシートに画像を形成する。本実施形態において、画像形成部２１は、電子写真方式によってシートに画像を形成する。画像形成部２１は、例えば、露光装置、帯電装置、感光体ドラム、及び現像装置を含む。なお、画像形成部２１は、インクジェット方式によってシートに画像を形成してもよい。
【００２８】
装置無線通信機２２は、端末無線通信機１２と同じ通信方式を利用して、端末無線通信機１２と無線通信可能な無線通信機である。本実施形態において、装置無線通信機２２は、Ｂｌｕｅｔｏｏｔｈ（登録商標）モジュール又はＢｌｕｅｔｏｏｔｈ（登録商標）カードである。端末制御部１０は、端末無線通信機１２と装置無線通信機２２とが互いに通信が可能となるように予め通信確立処理（例えば、ペアリング処理）を実行する。本実施形態において、端末無線通信機１２と装置無線通信機２２との間で無線通信が可能な距離よりも小さい値が離間閾値１５２として設定される。
【００２９】
装置記憶装置２３は、ＨＤＤ、ＲＡＭ、及びＲＯＭ等によって構成される。装置記憶装置２３は、画像形成装置２の各部の動作を制御するための制御プログラムを記憶する。制御プログラムは、装置制御部２０によって実行される。
【００３０】
本実施形態において、装置記憶装置２３には、ユーザー登録テーブル２３１が記憶されている。ユーザー登録テーブル２３１は、装置制御部２０が認証処理を実行する際に参照される。ユーザー登録テーブル２３１には、ユーザー情報が予め登録されている。ユーザー情報は、ユーザー識別情報、及びパスワードを示す情報を含む。パスワードを示す情報は、ユーザー識別情報に関連付けて、ユーザー登録テーブル２３１に登録されている。
【００３１】
続いて、図１〜図３を参照して、実施形態１に係る画像形成システム３によって実行される第１認証開始要求処理について説明する。図３は、画像形成システム３によって実行される第１認証開始要求処理を示すフローチャートである。第１認証開始要求処理は、端末制御部１０がＧＰＳ受信機１４から端末位置情報を取得する度に実行される。
【００３２】
図３に示すように、端末制御部１０は、離間距離が離間閾値１５２以下であるか否かを判定する（ステップＳ１０２）。離間距離が離間閾値１５２以下ではないと端末制御部１０によって判定されると（ステップＳ１０２：Ｎｏ）、第１認証開始要求処理は、終了する。一方、端末制御部１０は、離間距離が離間閾値１５２以下であると判定すると（ステップＳ１０２：Ｙｅｓ）、端末無線通信機１２及び装置無線通信機２２を介して、認証処理の開始要求を装置制御部２０へ送信する（ステップＳ１０４）。
【００３３】
装置制御部２０は、認証処理の開始要求を受信すると、認証処理の実行が可能か否かを判定する（ステップＳ１０６）。装置制御部２０は、例えば、携帯型端末１を利用するユーザーとは異なる別ユーザーが画像形成装置２にログインしているか否かを判定する。認証処理の実行が可能ではない（例えば、画像形成装置２に別ユーザーがログインしている）と装置制御部２０によって判定されると（ステップＳ１０６：Ｎｏ）、第１認証開始要求処理は、終了する。一方、装置制御部２０は、認証処理の実行が可能である（例えば、画像形成装置２に別ユーザーがログインしていない）と判定すると（ステップＳ１０６：Ｙｅｓ）、装置無線通信機２２及び端末無線通信機１２を介して、端末制御部１０へ認証処理の開始許可信号を送信する（ステップＳ１０８）。
【００３４】
端末制御部１０は、認証処理の開始許可信号を受信すると、端末無線通信機１２及び装置無線通信機２２を介して、装置制御部２０へ認証情報を送信して（ステップＳ１１０）、第１認証開始要求処理を終了する。
【００３５】
本実施形態において、認証情報は、携帯型端末１を利用するユーザーを示すユーザー識別情報、及びユーザー識別情報と対応するパスワードを示す情報を含む。ユーザー識別情報及びパスワードを示す情報は、端末記憶装置１５に予め記憶されている。端末制御部１０は、認証処理の開始許可信号を受信すると、端末記憶装置１５に記憶されたユーザー識別情報及びパスワードを示す情報を取得して装置制御部２０へ送信する。なお、認証情報は、端末制御部１０が認証処理の開始許可信号を受信した後に、ユーザーがタッチパネル１１を操作することによって入力されてもよい。
【００３６】
次に、図１〜図４を参照して、実施形態１に係る画像形成システム３によって実行される認証処理について説明する。図４は、実施形態１に係る画像形成システム３によって実行される認証処理を示すフローチャートである。認証処理は、装置制御部２０が認証情報を受信すると開始される。
【００３７】
図４に示すように、装置制御部２０は、認証情報を受信すると、認証情報と一致するユーザー情報がユーザー登録テーブル２３１に登録されているか否かを判定する（ステップＳ２０２）。装置制御部２０は、認証情報と一致するユーザー情報がユーザー登録テーブル２３１に登録されていないと判定すると（ステップＳ２０２：Ｎｏ）、認証処理が不成功である旨を示す認証不成功信号を装置無線通信機２２及び端末無線通信機１２を介して端末制御部１０へ送信する（ステップＳ２０４）。これにより、携帯型端末１を利用するユーザーの画像形成装置２へのログインが拒否されて、認証処理が終了する。一方、装置制御部２０は、認証情報と一致するユーザー情報がユーザー登録テーブル２３１に登録されている判定すると（ステップＳ２０２：Ｙｅｓ）、認証処理が成功した旨を示す認証成功信号を装置無線通信機２２及び端末無線通信機１２を介して端末制御部１０へ送信する（ステップＳ２０６）。これにより、携帯型端末１を利用するユーザーの画像形成装置２へのログインが許可されて（携帯型端末１を利用するユーザーが画像形成装置２へログインした状態となって）、認証処理が終了する。なお、以下では、携帯型端末１を利用するユーザーが画像形成装置２へログインした状態を「携帯型端末１が画像形成装置２にログインした状態」と記載する場合がある。
【００３８】
続いて、図５を参照して、実施形態１に係る画像形成システム３によって実行される印刷処理について説明する。図５は、実施形態１に係る画像形成システム３によって実行される印刷処理を示すフローチャートである。印刷処理は、端末制御部１０が認証成功信号を装置制御部２０から受信して、携帯型端末１が画像形成装置２へログインした状態になると開始される。
【００３９】
図５に示すように、端末制御部１０は、動き検知センサー１３から筐体１ａの所定の動き（回転）を示す情報（動き情報）を受信したか否かを判定する（ステップＳ３０２）。端末制御部１０が、動き検知センサー１３から動き情報を受信していないと判定すると（ステップＳ３０２：Ｎｏ）、印刷処理は、ステップＳ３０２へ戻る。端末制御部１０は、動き検知センサー１３から動き情報を受信したと判定すると（ステップＳ３０２：Ｙｅｓ）、タッチパネル１１に表示された情報を示す画像の画像データを生成する（ステップＳ３０４）。次いで、端末制御部１０は、端末無線通信機１２及び装置無線通信機２２を介して、生成した画像データを装置制御部２０へ送信する（ステップＳ３０６）。装置制御部２０は、画像データを受信すると（ステップＳ３０８）、受信した画像データに基づいて画像形成部２１に画像形成処理を実行させる（ステップＳ３１０）。これにより、タッチパネル１１に表示された情報を示す画像がシートに形成されて、印刷処理が終了する。
【００４０】
以上、実施形態１について説明した。本実施形態によれば、携帯型端末１が画像形成装置２にログインした状態において、ユーザーが携帯型端末１の筐体１ａを回転させると、携帯型端末１のタッチパネル１１（ディスプレー１１１）に表示された情報を示す画像がシートに形成される（印刷される）。換言すると、携帯型端末１が画像形成装置２にログインした状態でなければ、タッチパネル１１に表示された情報を示す画像を画像形成装置２に形成させることができない。したがって、ユーザーの意図に反して、タッチパネル１１に表示された情報が印刷されてしまうことを抑制することができる。
【００４１】
また、本実施形態によれば、端末制御部１０は、携帯型端末１と画像形成装置２との間の離間距離を算出し、離間距離が離間閾値１５２以下になると、画像形成装置２に認証開始要求を送信する。したがって、ユーザーは、認証開始要求の送信指示の入力操作を省略することができる。これにより、ユーザーの利便性が向上する。
【００４２】
なお、本実施形態において、無線通信が近距離無線通信である場合を例に説明したが、無線通信は、例えば、無線ＬＡＮのような中距離無線通信（約１００ｍの通信距離を有する無線通信）であってもよい。無線通信が無線ＬＡＮである場合、端末無線通信機１２及び装置無線通信機２２は、無線ＬＡＮモジュールであり得る。
【００４３】
また、本実施形態において、端末無線通信機１２及び装置無線通信機２２がＢｌｕｅｔｏｏｔｈ（登録商標）モジュールである場合を例に説明したが、端末無線通信機１２及び装置無線通信機２２は、例えば、ＮＦＣ（Ｎｅａｒ  Ｆｉｅｌｄ  Ｃｏｍｍｕｎｉｃａｔｉｏｎ）モジュールであってもよい。
【００４４】
また、本実施形態において、画像形成システム３は、離間距離が離間閾値１５２以下になると、第１認証開始要求処理を開始したが、画像形成システム３は、離間閾値１５２に関わらず、第２認証開始要求処理を開始することもできる。
【００４５】
図６は、本発明の実施形態１に係る画像形成システム３によって実行される第２認証開始要求処理を示すフローチャートである。第２認証開始要求処理は、ユーザーからの操作によって開始される。
【００４６】
図６に示すように、端末制御部１０は、ユーザーによる認証情報の送信指示をタッチパネル１１が受け付けると（ステップＳ４０２）、認証処理の開始要求を装置制御部２０へ送信する（ステップＳ１０４）。詳しくは、端末制御部１０は、タッチパネル１１から送信された信号が認証情報の送信指示を示すか否かを判定する。端末制御部１０は、認証情報の送信指示をタッチパネル１１が受け付けたと判定すると、端末無線通信機１２及び装置無線通信機２２を介して、認証処理の開始要求を装置制御部２０へ送信する（ステップＳ１０４）。以下、図３を参照して説明した場合と同様に、認証開始処理が実行される。自動認証開始処理（第１認証開始処理）及び手動認証開始処理（第２認証開始処理）のうちのいずれを実行するかは、ユーザーが任意に選択可能である。これにより、ユーザーの利便性が向上する。
【００４７】
また、画像形成システム３は、離間距離が離間閾値１５２よりも大きいか否かによって、第１認証開始処理及び第２認証開始処理のうちのいずれを実行するかを決定することもできる。詳しくは、画像形成システム３は、離間距離が離間閾値１５２よりも大きい場合に、認証情報の送信指示をタッチパネル１１が受け付けると、図６を参照して説明した第２認証開始要求処理を開始し、離間距離が離間閾値１５２以下になった場合、図３を参照して説明した第１認証開始要求処理を開始してもよい。これにより、ユーザーは、携帯型端末１と画像形成装置２との間の離間距離が離間閾値１５２以下になるように携帯型端末１を持って画像形成装置２に近づく動作（自動認証開始処理）、及びタッチパネル１１を操作して認証情報送信指示を入力する動作（手動認証開始処理）のうちのいずれかを選択することができる。
【００４８】
［実施形態２］
続いて、図７〜図１０を参照して、実施形態２に係る画像形成システム３について説明する。実施形態２は、動き検知センサー１３が所定の動きとして検知する筐体１ａの動きが単数ではなく複数であり、各動きに応じて印刷条件が変更される点が実施形態１と異なる。以下、実施形態２について実施形態１と異なる事項を説明し、実施形態１と重複する事項の説明は割愛する。
【００４９】
まず、図７を参照して、本発明の実施形態２に係る画像形成システム３の構成について説明する。図７は、本発明の実施形態２に係る画像形成システム３の構成を示すブロック図である。
【００５０】
本実施形態では、動き検知センサー１３は、所定の動きとして筐体１ａの複数の動きを判別して検知する。
【００５１】
図７に示すように、端末記憶装置１５は、印刷条件テーブル１５３を更に記憶する。印刷条件テーブル１５３は、筐体１ａの動きと印刷条件とを関連付けている。
【００５２】
端末制御部１０は、動き検知センサー１３から筐体１ａの動きを示す情報（動き情報）を受信すると、印刷条件テーブル１５３を参照して、筐体１ａの動きと関連付けられた印刷条件を取得する。端末制御部１０は、取得した印刷条件を示すデータを画像データと共に端末無線通信機１２及び装置無線通信機２２を介して装置制御部２０へ送信する。
【００５３】
装置制御部２０は、受信した印刷条件データが示す印刷条件で画像形成処理を画像形成部２１に実行させる。
【００５４】
次に、図７及び図８を参照して、本発明の実施形態２に係る印刷条件テーブル１５３について説明する。図８は、本発明の実施形態２に係る印刷条件テーブル１５３の一例を示す図である。図８に示すように、所定の動きとして印刷条件テーブル１５３に登録されている筐体１ａの動きは、例えば、「右回転」、「左回転」、「上下揺動」、及び「左右揺動」を含む。印刷条件は、例えば、「モノクロ印刷」、「カラー印刷」、「両面印刷」、及び「２ｉｎ１印刷」を含む。
【００５５】
図８に示す例では、右回転には、印刷条件としてモノクロ印刷が関連付けられている。また、左回転には、印刷条件としてカラー印刷が関連付けられている。上下揺動には、印刷条件として両面印刷が関連付けられ、左右揺動には、印刷条件として２ｉｎ１印刷が関連付けられている。
【００５６】
次に、図９（ａ）、図９（ｂ）、図１０（ａ）、及び図１０（ｂ）を参照して、実施形態２に係る筐体１ａの所定の動きについて説明する。図９（ａ）及び図９（ｂ）は、実施形態２に係る筐体１ａの回転の動きを示す図である。詳しくは、図９（ａ）は、筐体１ａの右回転の動き示す図であり、図９（ｂ）は、筐体１ａの左回転の動きを示す図である。図１０（ａ）及び図１０（ｂ）は、実施形態２に係る筐体１ａの揺動の動きを示す図である。詳しくは、図１０（ａ）は、筐体１ａの上下揺動の動きを示す図であり、図１０（ｂ）は、筐体１ａの左右揺動の動きを示す図である。図９（ａ）〜図１０（ｂ）は、ユーザーから筐体１ａのタッチパネル１１側の面を見た状態を示している。
【００５７】
図９（ａ）に示すように、右回転は、例えば、ユーザーとタッチパネル１１とが対向した状態を保ちつつ、筐体１ａを時計回りと同じ方向へ回転させる動きを示す。図９（ｂ）に示すように、左回転は、例えば、ユーザーとタッチパネル１１とが対向した状態を保ちつつ、筐体１ａを反時計回りと同じ方向へ回転させる動きを示す。回転の角度は、例えば、上下方向に対して４５度以上９０度以下である。
【００５８】
図１０（ａ）に示すように、上下揺動は、例えば、ユーザーとタッチパネル１１とが対向した状態を保ちつつ、筐体１ａを上下に振動させる動きを示す。図１０（ｂ）に示すように、左右揺動は、例えば、ユーザーとタッチパネル１１とが対向した状態を保ちつつ、筐体１ａを左右に振動させる動きを示す。
【００５９】
続いて、図７〜図１１を参照して、実施形態２に係る画像形成システム３によって実行される印刷処理について説明する。図１１は、実施形態２に係る画像形成システム３によって実行される印刷処理を示すフローチャートである。
【００６０】
図１１に示すように、端末制御部１０は、動き検知センサー１３から筐体１ａの動きを示す情報（動き情報）を受信すると（ステップＳ３０２：Ｙｅｓ）、筐体１ａの動きに対応する印刷条件データを印刷条件テーブル１５３から取得する（ステップＳ６０２）。次いで、端末制御部１０は、画像データを生成する（ステップＳ３０４）。次いで、端末制御部１０は、画像データ及び印刷条件テーブル１５３から取得した印刷条件データを、端末無線通信機１２及び装置無線通信機２２を介して装置制御部２０へ送信する（ステップＳ６０４）。装置制御部２０は、画像データ及び印刷条件データを受信すると（ステップＳ６０６）、受信した印刷条件データが示す印刷条件で画像形成部２１に画像形成処理を実行させる（ステップＳ６０８）。これにより、タッチパネル１１に表示された情報を示す画像がユーザーによって選択された印刷条件（筐体１ａの所定の動きに対応する印刷条件）でシートに形成されて、印刷処理が終了する。
【００６１】
以上、実施形態２について説明した。本実施形態によれば、筐体１ａを所定の動きにしたがって動かすことによって、印刷条件を設定（変更）することができる。印刷条件の変更は、複数回の入力操作を必要とすることが多く、ユーザーにとって煩わしいものである。特に、携帯型端末１がスマートフォンである場合、スマートフォンが備えるタッチパネル１１は、タッチ面が小さく、ユーザーは、印刷条件の設定に煩わしさを感じやすい。タッチパネル１１の操作に対して不慣れなユーザーであれば、より一層煩わしさを感じやすい。しかしながら、本実施形態によれば、ユーザーは、筐体１ａを所定の動きにしたがって動かすだけで、所望の印刷条件を設定することができる。この結果、ユーザーの利便性を向上させることができる。
【００６２】
以上、本発明の実施形態について、図面（図１〜図１１）を参照しながら説明した。但し、本発明は、上記の実施形態に限られるものではなく、その要旨を逸脱しない範囲で種々の態様において実施することが可能である。また、上記の実施形態で示す数値は、一例であって特に限定されるものではなく、本発明の効果から実質的に逸脱しない範囲で種々の変更が可能である。
【００６３】
例えば、本発明の実施形態において、画像形成装置２が複合機である場合を例に説明したが、画像形成装置２は、プリンターであってもよい。
【００６４】
また、本発明の実施形態では、携帯型端末１がスマートフォンである場合を例に説明したが、携帯型端末１は、例えば、タブレット型パソコンであってもよい。
【００６５】
また、本発明の実施形態では、画像形成装置２が１つである場合を例に説明したが、画像形成装置２は、複数であってもよい。この場合、端末記憶装置１５は、複数の画像形成装置の各々の装置位置情報１５１を記憶する。端末制御部１０は、各装置位置情報１５１に基づいて、筐体１ａと各画像形成装置２との間の離間距離をそれぞれ算出し、例えば、最も離間距離が小さい画像形成装置２に対して認証開始要求を送信することができる。
【００６６】
また、本発明の実施形態において、装置位置情報１５１（画像形成装置２の位置情報）が端末記憶装置１５に予め記憶されている場合を例に説明したが、端末制御部１０は、画像形成装置２の位置を定期的に取得してもよい。この場合、画像形成装置２は、ＧＰＳ受信機を更に備え、端末制御部１０は、画像形成装置２が備えるＧＰＳ受信機から送信される位置情報に基づいて、装置位置情報１５１を取得してもよい。これにより、画像形成装置２の配置場所が変更された場合であっても、携帯型端末１は、画像形成装置２との間の離間距離を取得することができる。
【００６７】
また、本発明の実施形態において、ユーザー登録テーブル２３１が装置記憶装置２３に記憶される場合を例に説明したが、ユーザー登録テーブル２３１は、サーバーのような外部装置が備える記憶装置に記憶されていてもよい。この場合、装置制御部２０は、認証情報を受信すると、外部装置に記憶されたユーザー登録テーブル２３１を取得して、認証処理を実行する。画像形成装置２は、例えば、ネットワークが接続されるコネクターを更に備え、ネットワークを介して外部装置と通信可能に接続されてもよい。あるいは、画像形成装置２は、装置無線通信機２２を介して外部装置と通信可能に接続されてもよい。
【産業上の利用可能性】
【００６８】
本発明は、携帯型端末及び画像形成装置を備える画像形成システムの分野に利用可能である。
【符号の説明】
【００６９】
１              携帯型端末
２              画像形成装置
３              画像形成システム
１０            端末制御部
１１            タッチパネル
１２            端末無線通信機
１３            動き検知センサー
２０            装置制御部
２１            画像形成部
２２            装置無線通信機
【図１】
2018124708.tif 000003
【図２】
2018124708.tif 000004
【図３】
2018124708.tif 000005
【図４】
2018124708.tif 000006
【図５】
2018124708.tif 000007
【図６】
2018124708.tif 000008
【図７】
2018124708.tif 000009
【図８】
2018124708.tif 000010
【図９】
2018124708.tif 000011
【図１０】
2018124708.tif 000012
【図１１】
2018124708.tif 000013